(57)【要約】【課題】  DC電源入力をもつ回路構成において待機電力削減という問題を解決した映像受信機を提供する。【解決手段】  キャビネット上に配置され視聴者の操作によりDC電源の投入状態を制御するスイッチと、前記キャビネット上に配置され前記スイッチの状態を視聴者へ明示するインディケータとを備えたことを特徴とする映像受信機。  またこのインディケータは発光手段であることを特徴とする映像受信機、またはこのインディケータはスイッチのロック状態によって構成されることを特徴とする映像受信機。【選択図】      図１
2007116642.tif 000002
【特許請求の範囲】
【請求項１】
キャビネットを有する映像受信機において、
前記キャビネット上に配置され視聴者の操作によりDC電源の投入状態を制御するスイッチと、
前記キャビネット上に配置され前記スイッチの状態を視聴者へ明示するインディケータとを
備えたことを特徴とする映像受信機。
【請求項２】
前記インディケータは発光手段であることを特徴とする請求項１に記載の映像受信機。
【請求項３】
前記インディケータは前記スイッチのロック状態によって構成されることを特徴とする請求項１に記載の映像受信機。
【発明の詳細な説明】
【技術分野】
【０００１】
本発明は、映像受信機に係り、特に、DC電源入力をもつ映像受信機に関する。
【背景技術】
【０００２】
テレビ受像機の視聴のために電波を室内や車で受信する場合にDC電源入力が用いられてきた。このDC電源入力においては限られた電源容量という制約があり待機電力削減が課題である。
【０００３】
一方例えば特開２００２−３５４３７４号公報（特許文献１）によるものは、AC電源入力における待機電力削減を目的とした電源スイッチによる回路構成を採っているものである。しかしながらこの電源スイッチに関しては、１次側用と２次側用と必ず２回路分必要となり、DC電源入力に関する回路とは基本的な様相が異なるものであり、DC電源入力に関して適用困難という問題があった。
【特許文献１】特開２００２−３５４３７４号公報（図１）
【発明の開示】
【発明が解決しようとする課題】
【０００４】
本発明は、DC電源入力をもつ回路構成において待機電力削減という問題を解決した映像受信機を提供することを目的とする。
【課題を解決するための手段】
【０００５】
上記課題を解決するために、本発明の映像受信機は、キャビネット上に配置され視聴者の操作によりDC電源の投入状態を制御するスイッチと、前記キャビネット上に配置され前記スイッチの状態を視聴者へ明示するインディケータとを備えたことを特徴とする。
【発明の効果】
【０００６】
本発明によれば、DC電源入力をもつ回路構成において待機電力削減という問題を解決した映像受信機が得られる。
【発明を実施するための最良の形態】
【０００７】
以下、本発明の実施例を説明する。
【実施例１】
【０００８】
本発明による映像受信機の実施例１としてDC入力カラーテレビの例を図１及び図２を参照して説明する。図１は映像受信機の正面図である。DC入力カラーテレビ１は、前面にDC用主電源スイッチ２とDC専用LED３を備えている。また、DC電源接続用ケーブル４を経由してDC電源５（バッテリ等）に接続されている。DC電源接続用ケーブル４は一般的なDCプラグによりDC入力カラーテレビ１に接続されている。
【０００９】
図２は映像受信機の部分平面図である。DC用主電源スイッチ２の上載面における図である。
動作説明を以下に述べる。DC用主電源スイッチ２を図２の点線までのストローク範囲で視聴者が押すたびに電源状態はOFF、ON、待機という切換えとなる。DC専用LED３の機能は、DC用主電源スイッチ２がONまたは待機時点灯し、DC入力動作である事を示す。DC入力カラーテレビ１を待機状態にした場合、LED消費電力及びDC入力カラーテレビ１内部部品の消費電力が合算された電力を消費する。一般的な商用電源(AC)では問題とならないが、DC機器の場合無視できない。よって、DC専用主電源スイッチ２をOFFする事において、DC専用LED３とDC入力カラーテレビ１が電気的に切り離される事によりそれらの電力消費が不要となり全体の電力削減となる。また、DC入力カラーテレビ１の待機時消費電力により、DC電源（バッテリー等）５が過放電になり使用出来なくなる事を防止出来る。
【００１０】
本実施例によれば、DC用主電源スイッチ２を具備する事で、DC入力カラーテレビ１のDC主電源OFF時に電力が不要となり電力削減出来る。またDC電源５（バッテリー等）の過放電が防止出来る。またDC入力カラーテレビ１の動作（受像）中については、DC専用LED３を具備する事でDC電源動作中である事が視聴者へ明示出来る。
【実施例２】
【００１１】
本発明による映像受信機の実施例２としてDC入力カラーテレビの例を図１及び図３を参照して説明する。実施例１と同じ符号を付けている部分の構成、動作は実施例１と同様であり説明を省略する。
【００１２】
図３は映像受信機の部分平面図である。DC用主電源スイッチ２ａの上載面における図である。図２と比較してスイッチロックの状態が加わっている。
動作説明を以下に述べる。DC用主電源スイッチ２ａを図２の状態電源SW状態：ONロック７まで視聴者が押すと電源状態はOＮとなる。DC用主電源スイッチ２ａの機能として、図のようにONロックする（ボタンがへこむ）事で、DC用主電源スイッチ２ａがON状態である事を視聴者へ明示出来る。DC専用LED３の機能は、DC用主電源スイッチ２ａがONまたは待機時点灯し、DC入力動作である事を示す。DC入力カラーテレビ１を待機状態にした場合、LED消費電力及びDC入力カラーテレビ１内部部品の消費電力が合算された電力を消費する。一般的な商用電源(AC)では問題とならないが、DC機器の場合無視できない。よって、DC専用主電源スイッチ２ａをOFFする事において、DC専用LED３とDC入力カラーテレビ１が電気的に切り離される事によりそれらの電力消費が不要となり全体の電力削減となる。また、DC入力カラーテレビ１の待機時消費電力により、DC電源（バッテリー等）５が過放電になり使用出来なくなる事を防止出来る。
【００１３】
本実施例によれば、DC用主電源スイッチ２ａを具備する事で、DC入力カラーテレビ１のDC主電源OFF時に電力が不要となり電力削減出来る。またDC電源５（バッテリー等）の過放電が防止出来る。
【００１４】
実施例１は図２の様に、電源SWの移動範囲を移動し途中でボタンがロックしないのでボタンのへこみが無く意匠上良い。一方実施例２は図３の様に、LEDは不要となり安価に構成出来る。
【００１５】
従来のDC入力TVは、DC入力専用の電源SWが無いので待機時に電力を常に消費していた。待機電力を常に消費しているのでDC電源（バッテリ等）が過放電してしまう問題もあった。以上の実施例により、DC入力用主電源スイッチを具備する事で待機電力を削減する事が出来るし、待機動作させる事無く、電源をOFFに出来さらに、DC電源の過放電も防止出来る。なおDC専用入力TVの他にAC入力との共用TVにも実施例を適用して差し支えない。
【図面の簡単な説明】
【００１６】
【図１】本発明による映像受信機の実施例１の正面図。
【図２】映像受信機の実施例１の部分平面図。
【図３】映像受信機の実施例２の部分平面図。
【符号の説明】
【００１７】
１  DC入力カラーテレビ
２、２ａ  DC用主電源スイッチ
３  DC専用LED
４  DC電源接続用ケーブル
５  DC電源（バッテリ等）
６  電源スイッチの移動範囲（ストローク範囲）
７  電源SW状態：ONロック
【図１】
2007116642.tif 000003
【図２】
2007116642.tif 000004
【図３】
2007116642.tif 000005